(57)【要約】【課題】  引戸に取付けるハンドルであって、身体の不自由な人が手軽に開閉操作を行うことが出来る引戸装置の提供。【解決手段】  ハンドル３はその上下端部に引戸のパネルに取付ける為のアーム４，４を有し、上記ハンドル３の握り部は戸先側に位置して上下方向に延びるメイン握り部５、戸尻側に位置して上下方向に延びる補助握り部６、そしてメイン握り部と補助握り部を繋ぐ繋ぎ部から成っている。そして間口１１に嵌る上記門形枠体の戸尻側縦桟１２ｂを一部切欠いて収容空間１６を形成し、引戸１が全開した際には上記ハンドル３の補助握り部６を収容空間１６に収容可能としている。【選択図】    図６
2007177413.tif 000002
【特許請求の範囲】
【請求項１】
間仕切装置や建築壁の一部に設けた間口には門形枠体を嵌め、該間口上部に取付けた上レールに吊車を介して引戸を吊設し、そして引戸の戸先側にハンドルを備えた引戸装置において、該ハンドルはその上下端部に引戸のパネルに取付ける為のアームを有し、上記ハンドルの握り部は戸先側に位置して上下方向に延びるメイン握り部、戸尻側に位置して上下方向に延びる補助握り部、そしてメイン握り部と補助握り部を繋ぐ繋ぎ部から成り、そして間口に嵌る上記門形枠体の戸尻側縦桟を一部切欠いて収容空間を形成し、引戸が全開した際には上記ハンドルの補助握り部を収容空間に収容可能としたことを特徴とする引戸装置。
【請求項２】
間仕切装置や建築壁の一部には間口を設け、該間口上部に取付けた上レールに吊車を介して引戸を開閉可能吊設すると共に該引戸が開いた際に収納される戸袋を備え、そして引戸の戸先側にハンドルを備えた引戸装置において、該ハンドルはその上下端部に引戸のパネルに取付ける為のアームを有し、上記ハンドルの握り部は戸先側に位置して上下方向に延びるメイン握り部、戸尻側に位置して上下方向に延びる補助握り部、そしてメイン握り部と補助握り部を繋ぐ繋ぎ部から成り、そして上記戸袋入口に起立する中方立を一部切欠いて収容空間を形成し、引戸が全開した際には上記ハンドルの補助握り部を上記収容空間に収容可能としたことを特徴とする引戸装置。
【請求項３】
上記ハンドルを概略長方形とし、メイン握り部と補助握り部を繋ぐ繋ぎ部として上握り部及び下握り部を設けた請求項１、又は請求項２記載の引戸装置。
【発明の詳細な説明】
【技術分野】
【０００１】
本発明は身体の不自由な人が引戸を開閉するに際し、操作し易いハンドルを備え、又引戸を全開する際にハンドルが障害にならないようにした引戸装置に関するものである。
【背景技術】
【０００２】
図８は従来から使用している引戸の外観図であり、引戸(イ)は上レール(ロ)に吊設されて走行し、入口(間口)を開閉することが出来る。そして引戸(イ)が開口した場合に納まる戸袋(ハ)を有し、また上レール(ロ)や該上レール(ロ)を走行する吊車などをカバーする為の点検パネルが入口から戸袋の上部にかけて取付けされる(同図はこの点検パネルを外した状態である)。同図に示す引戸装置は手で押し開いた引戸(イ)が独りで閉じるようになっているが、その為にゼンマイバネを内蔵した自閉装置(ニ)を備えている。
【０００３】
手で押し開かれた引戸(イ)と共に巻き戻されたゼンマイバネに引張られて該引戸(イ)は閉じることが出来る。この際、自閉装置(ニ)に引かれることで引戸(イ)が衝撃を伴って閉じることがないように、制動装置(ホ)を取付けている。すなわち、制動装置(ホ)の延びたピストンロッド(ヘ)の先端に引戸(イ)が当って静かに閉じることが出来る。さらに、全開した引戸(イ)を一時的に停止する為に、吊車に係止する全開ストッパー(ト)を取着している。
【０００４】
一方、半自動式吊戸装置では、上記ゼンマイバネを内蔵した自閉装置(ニ)を用いることなく上レール(ロ)を僅かに傾斜し、該上レール(ロ)に吊設される引戸(イ)が自重によって独りで閉鎖するように構成することも出来、最近ではこの型式の半自動式引戸装置が多用されている。そして、該引戸が閉じる際の衝撃を緩和する為にブレーキ装置が取付けられ、また開放した際には独りで閉じないように全開ストッパーを備えている。
【０００５】
ところで、近年の引戸装置は高精度のアルミ製上レールが用いられ、吊車のローラには耐摩性に優れたポリアセタール等の樹脂材が用いられ、又高性能のラジアルベアリングが内蔵されている為に、約１ｋｇの軽い力で開閉操作を行うことが出来るように成っている。そして、引戸(イ)の戸先側にはハンドル(チ)が取付けられている為に、該ハンドル(チ)を握って引くことが出来るように成っている。
【０００６】
図９は引戸(イ)を単独で表している場合であるが、該引戸(イ)の戸先側にはハンドル(チ)が取付けられている。ハンドル(チ)の形状は概略コ形を成して引戸面と一定空間を隔てた位置に握り部(リ)が上下方向に延びている。人は、この握り部(リ)の適当な位置を握って引戸(イ)を引いて開くことが出来、開いた引戸(イ)は独りで閉じるようになる。
【０００７】
図１０は概略コ形のハンドル(チ)を備えた従来の引戸(イ)を開く場合を表している。同図では操作する人が身体障害者等(ヌ)であって車椅子(ル)に乗っている。(ａ)は車椅子(ル)に乗った身体障害者等(ヌ)はハンドル(チ)を握って引戸(イ)を引くことが出来るが、この場合に該引戸(イ)は入口の約１／２程度までは開くことが出来る。すなわち、ハンドル(チ)の握り部(リ)をもって点線の位置まで引くことは可能である。
【０００８】
従って、その後は、(ｂ)に示すように車椅子(ル)を後退させてから再び(ｃ)のように引かなくてはならず、十分に開口した入口(オ)から(ｄ)のように車椅子ごと入ることになる。このように、前記図９に示す概略コ形のハンドル(チ)を備えた引戸(イ)では、該引戸(イ)を約１／２程度引いたところで車椅子(ル)を後退しなければならず、従って出入りが面倒であると共に時間がかかる。
【０００９】
又、図１１に示すように、部屋のコーナー部に引戸(イ)が設けられている場合であれば、車椅子(ル)に乗っている身体障害者等(ヌ)は引戸(イ)のハンドル(チ)まで手が届かないといった問題が発生する。すなわち、車椅子(ル)の先端が壁面に当たってしまい、該車椅子(ル)を前へ進めることが出来ない。従って、車椅子(ル)から身を乗り出してハンドル(チ)を握らなくてはならず、その為に身体のバランスを崩すこともあって非常に危険である。
【００１０】
特開２００２−９７８５０号に係る「引戸」は、引戸が所望の開き幅に調整して止められ、車椅子の通過幅が確保でき、又身体障害者などの寄り掛かりの支えとなり得る開き幅にも調整できる引戸であり、敷居や鴨居を移動して開閉する障子の面上の適宜な位置に、引き手を突出させて装着し、障子が開かれる際に、ストッパに引き手が当接し、障子の開きがストッパに対して止められるようにした引戸であって、引き手の障子に対する位置を見付け方向に変えて装着可能な構造としている。
【００１１】
上記特開２００２−９７８５０号公報の図３、図４には引き手２２が表示され、前記図７に示している引戸(イ)のハンドル(チ)の形態とは違っている。すなわち、コ型のハンドル(チ)に比較して操作しやすくなっているが、その目的も異なることから本発明が求めるまでの機能は存在しない。
【特許文献１】特開２００２−９７８５０号に係る「引戸」
【発明の開示】
【発明が解決しようとする課題】
【００１２】
このように、従来の引戸装置には上記のごとき問題がある。本発明が解決しようとする課題はこの問題点であって、車椅子に乗った場合、又は杖をついた状態の身体障害者や高齢者であっても、引戸の開き操作を簡単に行うことが出来る引戸装置を提供する。
【課題を解決するための手段】
【００１３】
本発明に係る引戸装置を構成する引戸は上レールに吊設されて開閉することが出来る。すなわち、引戸の上端両側には吊車が取着されて上レールを転動することが出来る。そして、この引戸の戸先側両面にはハンドルが取付けられ、このハンドルを握って引戸の開閉操作が行われる。ところで、ハンドルの握り部はメイン握り部と所定の間隔をおいて補助握り部を有し、これら各握り部は上下方向に延び、繋ぎ部にて繋がれている。
【００１４】
そして、ハンドルにはアームを備え、該アームは引戸に取着されることでメイン握り部及び補助握り部は引戸面から所定の空間をおいて上下方向に延びることに成り、引戸の開閉操作に際しては適当な握り部を掴むことが出来る。一方、本発明の引戸装置は引戸が全開できる構造と成っている。すなわち、ハンドルが前記図9に示すようなコ形であれば何ら問題はないが、メイン握り部の他に補助握り部を有している為に、該補助握り部が間口の縦桟に当らない構造としている。
【００１５】
引戸が間仕切装置又は建築壁の一部に設けた間口に面して取付けられる場合、該間口に嵌る門形枠体の縦桟に当たらないように、該縦桟の一部外側が切欠かれた断面形状と成っている。同じく、引戸が開いた際に収納される戸袋を有す引戸装置の場合には、戸袋入口に起立する中方立の外側を一部切欠いた断面形状としている。すなわち、外側を一部切欠いて握り部が収容できる収容空間を形成している。
【発明の効果】
【００１６】
本発明の引戸装置の引戸にはメイン握り部と補助握り部で構成しているハンドルを備えている。従って、車椅子に乗った身体障害者などはその車椅子の位置を動かすことなく、最初は補助握り部をもって引戸をある程度開き、その後はメイン握り部に持ち換えて引戸を開くことが出来る。車椅子を動かすことなく手軽に引戸を全開することが出来、入口から素早く入ることが可能と成る。又、部屋のコーナー部に引戸が設置される場合であっても、車椅子に乗った状態で身を乗り出すことなく補助握り部を掴んで引戸を引くことが出来る。
【００１７】
一方、間口に嵌る門形枠体の戸尻側縦桟、又は戸袋を有す場合には該戸袋入口に起立する中方立の外側の一部を切欠いた断面形状としているために、引戸を開いた際にはハンドルの握り部が切欠いた収容空間に納まることが出来、該引戸は間口一杯に全開することが出来る。すなわち、戸尻側へ延びる補助握り部を備えたハンドルであっても引戸を全開することが可能となり、車椅子に乗った身体障害者などの出入りが妨げられることはない。
【実施例】
【００１８】
図１は本発明に係る引戸装置を構成する引戸１を表している実施例である。引戸１は縦長の長方形パネル２から成り、上端両側には吊車(図示なし)が取着され、引戸１は該吊車を介して上レール(図示なし)に吊設される。そして、引戸１の両面の戸先側にはハンドル３が取付けられていて、人はこのハンドル３を握って引戸１を開くことが出来る。一般に、吊車が載って走行する上レールは戸先側が僅かに低く傾斜している為に、手で引いて開いた引戸１はその自重にて独りで閉じることが出来るように成っている。
【００１９】
ところで、該引戸１のパネル２には握り部となる概略長方形のハンドル３が取着されているが、後方へ延びるアーム４，４を介してパネル２に固定されている。概略長方形のハンドル３はメイン握り部５、補助握り部６、上握り部７、及び下握り部８を有し、メイン握り部５及び補助握り部６は互いに平行を成して上下方向に延び、上下端は上記上握り部７と下握り部８にて繋がっている。しかも、各コーナー部は滑らかに湾曲している。概略長方形のハンドルの場合、上握り部７と下握り部８が繋ぎ部と成って構成されるが、ハンドル形状が違うことで繋ぎ部の形態も異なる。
【００２０】
そして、上記メイン握り部５及び補助握り部６は共にパネル２と所定の間隔をおいて平行と成っているが、その間隔は補助握り部６の方が大きく成っている。図２は上記ハンドル３を単独で表している具体例である。同図に示しているように、各コーナー部を湾曲した概略長方形を成し、アーム４，４は上握り部７及び下握り部８のメイン握り部５側に設けられている。そして、上下握り部７，８は概略「ヘ」字状に屈曲し、該屈曲部にアーム４，４が設けられている。そして、補助握り部６はメイン握り部５とほぼ平行に延びているが、中央部を戸尻側へ凸状をなして僅かに湾曲した形状となっている。
【００２１】
図３はハンドル３を示す別形態であり、概略長方形の握り部にアーム４，４を設けている点は前記図２のハンドル３と同じである。図３に示すハンドル３はアーム４，４を設けている位置が前記図２のハンドル３とは異なり、メイン握り部５の上下に設けている。そして、補助握り部６はメイン握り部５と平行と成っていると共に、パネル面に対しても平行であるが、パネル２との間隔は補助握り部６のほうが大きく成っている。従って、上下握り部７，８はパネル面と平行と成っていない。このように、補助握り部６がパネル面から大きく張り出していることで、車椅子に乗る身体障害者等が該補助握り部６を掴み易くなる。
【００２２】
図４は本発明に係る引戸１を開く際の操作を表しているが、(ａ)に示すように車椅子９に乗った身体障害者等１０は適当な位置で該車椅子９を停止してハンドル３を引くことが出来る。この場合、身体障害者等１０が手を伸ばすことで補助握り部６を掴むことが出来る位置に車椅子９を停止して、該補助握り部６を引っ張るならば引戸１を約１／２程度開くことが出来る。補助握り部６は車椅子側に位置していると共にパネル面からの張り出し距離が大きい為に、身体障害者等１０は掴み易い。
【００２３】
その後は、(ｂ)に示すようにメイン握り部５に握り換えて引くことで引戸１をほぼ全開することが出来、開口は車椅子９が通過できる大きさとなる。そして、(ｃ)のように車椅子９ごと入口から入ることが出来る。この際、開いた引戸１が独りで閉じないように引戸１は全開ストッパーに係止することが出来る。そして、中に入ったところで、引戸１を引いて全開ストッパーから解除するならば独りで閉じる。すなわち、引戸１が吊設されている上レール(図示なし)は戸先側が僅かに低く傾斜している為に、全開ストッパが解除されることで、引戸１の自重が作用して独りで閉じることが出来る。
【００２４】
一方、図５に示すように引戸１が部屋のコーナー部に設けている場合にも補助握り部６を持って引くことが出来、ある程度開いたところで今度はメイン握り部５に持ち替えて引くことが出来る。従って、メイン握り部５しかない従来のハンドル(チ)のように、身を乗り出してハンドル操作する必要がない。
【００２５】
ところで、上記ハンドル３，３はパネル両面の対称位置に装着されているが、具体的な取付け構造は特に限定しない。一般にはパネル対向面側から挿入したネジをアームに設けているネジ穴に締付けて一方側のハンドル３を取付け、反対側のハンドル３はそのアーム先端に嵌合穴を設け、この嵌合穴に上記ネジの頭を嵌合すると共にアーム側面から止めネジにて固定する構造と成っている。
【００２６】
図６は引戸１ｂが開いた場合と引戸１ａが閉じた場合の引戸装置の横断面図を表している。同図の引戸装置は戸袋を備えておらず、引戸１は間口１１に面して装着されている。そして、間口１１の上部に設けた上レール(図示なし)には引戸１が吊設されて開閉することが出来、ハンドル３，３は引戸１の戸先側両面に取付けられている。該ハンドル３は上方から見た形状が概略Ｌ形をなしてアーム４から後方(戸尻方向)へ延び、先端に補助握り部６を有している。そして、間口１１は建築壁の一部を開口して設けられ、該開口には上桟及び両縦桟１２ａ，１２ｂにて枠組みされた門形枠体が嵌っている。
【００２７】
そして、門形枠体の縦桟１２ａには戸当りポール１３が取着され、戸尻側の建築壁１４には戸尻ポール１５が取付けられて起立している。引戸１ａが閉じる時には戸当りポール１３に戸先が当接して停止し、引戸１ｂが開く時には戸尻は戸尻ポール１５に接近するが当接することはない。ところで、上記門形枠体の一方の戸尻側縦桟１２ｂは概略Ｌ形断面を成し、ハンドル３が納まるための収容空間１６が形成されている。従って、ハンドル３の補助握り部６が縦桟１２ｂに当接することなく引戸１が全開することが出来る為に、間口１１は大きく開口する。
【００２８】
図７は戸袋１７を備えた引戸装置を表す横断面図であり、引戸１ａが開いた状態と引戸１ｂが閉じた状態をそれぞれ表している。戸袋１７を備えている引戸装置の場合、戸袋入口には中方立１８ａ，１８ｂが起立して設けられている。すなわち、戸袋１７を構成する戸尻側の建築壁１４ａの側端には中方立１８ａが起立して取付けられ、建築壁４ｂの側端には中方立１８ｂが起立して取付けられている。そして、この中方立１８ａ，１８ｂは戸袋１７を構成する建築壁１４ａ，１４ｂから間口側へ突出してその断面を概略Ｌ形とし、ハンドル３，３の補助握り部６，６が収容される収容空間１６，１６を外側に形成している。
【００２９】
従って、引戸１が開いた状態では、ハンドル３，３が中方立１８ａ，１８ｂに当ることはない為に間口１１が全開する。ここで、引戸１に取付けられるハンドル形態は前記図２、図３に示すように概略長方形に限定することはない。補助握り部６をアーム４から戸尻側方向に設けたハンドル３の場合には、該補助握り部６が収容される収容空間１６を形成することで引戸１を全開することが可能と成る。
【図面の簡単な説明】
【００３０】
【図１】引戸を示す具体例。
【図２】引戸に取付けるハンドル。
【図３】引戸に取付けるハンドル。
【図４】引戸の操作手順。
【図５】部屋のコーナー部に引戸を設けた場合の操作。
【図６】本発明の引戸装置を示す横断面図。
【図７】本発明の引戸装置を示す横断面図。
【図８】従来の引戸装置。
【図９】従来の引戸を示す具体例。
【図１０】従来の引戸の操作手順。
【図１１】部屋のコーナーに設けている従来引戸の操作。
【符号の説明】
【００３１】
１  引戸
２  パネル
３  ハンドル
４  アーム
５  メイン握り部
６  補助握り部
７  上握り部
８  下握り部
９  車椅子
10  身体障害者等
11  間口
12  縦桟
13  戸当りポール
14  建築壁
15  戸尻りポール
16  収容空間
17  戸袋
18  中方立
【図１】
2007177413.tif 000003
【図２】
2007177413.tif 000004
【図３】
2007177413.tif 000005
【図４】
2007177413.tif 000006
【図５】
2007177413.tif 000007
【図６】
2007177413.tif 000008
【図７】
2007177413.tif 000009
【図８】
2007177413.tif 000010
【図９】
2007177413.tif 000011
【図１０】
2007177413.tif 000012
【図１１】
2007177413.tif 000013